(57)【要約】  【課題】  開閉時に衝撃が少なく、しかも軽い操作力で開閉することができ、電源の無い場所でも使用できる便座・便蓋用ヒンジを提供する。  【解決手段】  便座用ヒンジ６と便蓋用ヒンジ１５は同一構造である。以下、便座用ヒンジ６についてのみ説明すると、便座１の回動基端側に備えられカム面７を有するカム部材８と、このカム部材にヒンジ軸１０回りに回動自在に枢支連結され、便器３側に取付けられる脚部１１と、この脚部内に上下方向に摺動自在に収納され、前記カム面７に摺接する突子１２を有するカムフォロア１３と、脚部１１内に収納され、カムフォロア１３を常に前記カム面７に向けて押付け付勢するばね部材１４とを備える。カム部材８、カムフォロア１３及びばね部材１４によって便座１の閉じ姿勢への回動方向のトルクに反発するトルクを生じさせてそのバランスにて便座１が所定の回動角度位置に停止保持するようにしてある。【選択図】      図１１
0003111640.tif 000002
【実用新案登録請求の範囲】
【請求項１】
便座もしくは便蓋が便器の上面に対し垂直もしくは垂直に近い状態に開く姿勢と、便器の上面に水平もしくは水平に近い状態に載置する閉じ姿勢とにわたって回動するようにした便座・便蓋用ヒンジにおいて、
前記便座もしくは便蓋の回動基端側に備えられカム面を有するカム部材と、このカム部材にヒンジ軸回りに回動自在に枢支連結され、前記便器側に取付けられる脚部と、この脚部内に上下方向に摺動自在に収納され、前記カム面に摺接する突子を有するカムフォロアと、前記脚部内に収納され、前記カムフォロアを常に前記カム面に向けて押付け付勢するばね部材と、を備えており、
前記カム部材、カムフォロア及びばね部材によって前記便座もしくは便蓋の閉じ姿勢への回動方向のトルクに反発するトルクを生じさせてそのバランスにて前記便座もしくは便蓋が所定の回動角度位置に停止保持するようにしてなることを特徴とする、便座・便蓋用ヒンジ。
【請求項２】
前記脚部が前記便器の上面に凹設した取付穴に抜差し可能に差し込まれている、請求項１記載の便座・便蓋用ヒンジ。
【請求項３】
前記カム面は、前記便座もしくは便蓋が閉じ途上において開角３０°付近から自動的に閉じる作用を働く第１曲縁を有している、請求項１又は２記載の便座・便蓋用ヒンジ。
【請求項４】
前記カム面は、前記便座もしくは便蓋が開き途上において開角４５°付近を越えると自動的に開く作用を働く第２曲縁を有している、請求項１ないし３のいずれか１項に記載の便座・便蓋用ヒンジ。
【考案の詳細な説明】
【技術分野】
【０００１】
本考案は、便器に対し便座もしくは便蓋を開閉回動自在に取付けるのに好適な便座・便蓋用ヒンジに関する。
【背景技術】
【０００２】
従来の便座や便蓋のヒンジは、一般に、便器の上面に上向きに突設した一対の支持脚の上端どうし間に、便座もしくは便蓋の回動基端側に設けた継手部を嵌め込んで重ね合わせ、両者に継手ピン（軸）を通して締結して、手動で便座や便蓋を前記ピン回りに開閉回動させるようにしてある。
また、便座や便蓋のヒンジ軸にオイル又はグリスを主体としたダンパーを組み込んだものもある。さらに、便座や便蓋を電動式で開閉可能にしたものもある。
【考案の開示】
【考案が解決しようとする課題】
【０００３】
しかるに、上記のような手動開閉式のピン継手による便座・便蓋用ヒンジでは、便座や便蓋を開き状態から閉じ状態に倒すとき、便座や便蓋の重力と、便座や便蓋の回動中心から便座もしくは便蓋重心までの距離の積となる自重モーメントが働き、便座や便蓋の自重による落下速度が増大して便器上に閉じ状態に達したときにかなりの衝撃が発生して継手ピンの破損を招いたり、衝突音を発生したりする。また、便座や便蓋を勢いよく開くと閉じ方向に戻ることがある。
【０００４】
また、オイル又はグリスダンパーを組み込んだ上記便座・便蓋用ヒンジでは、粘性オイル又はグリスで負荷を与えるため、開き方向に余分な操作力が必要である。特に、急いで用便などをするときは不適当である。
電動開閉式の上記便座・便蓋用ヒンジではモータ、電源を必要とするためコスト高となるばかりか、電源の無い便器設置場所では使用できない不利がある。
【０００５】
本考案の目的は、このような問題を解決するためになされたもので、開閉時に衝撃が少なく、しかも軽い手動操作力で開閉することができ、電源の無い場所でも使用できる便座・便蓋用ヒンジを提供することにある。
【課題を解決するための手段】
【０００６】
本考案は、便座もしくは便蓋が便器の上面に対し垂直もしくは垂直に近い状態に開く姿勢と、便器の上面に水平もしくは水平に近い状態に載置する閉じ姿勢とにわたって回動するようにした便座・便蓋用ヒンジにおいて、前記便座もしくは便蓋の回動基端側に備えられカム面を有するカム部材と、このカム部材にヒンジ軸回りに回動自在に枢支連結され、前記便器側に取付けられる脚部と、この脚部内に上下方向に摺動自在に収納され、前記カム面に摺接する突子を有するカムフォロアと、前記脚部内に収納され、前記カムフォロアを常に前記カム面に向けて押付け付勢するばね部材と、を備えており、前記カム部材、カムフォロア及びばね部材によって前記便座もしくは便蓋の閉じ姿勢への回動方向のトルクに反発するトルクを生じさせてそのバランスにて前記便座もしくは便蓋が所定の回動角度位置に停止保持するようにしてなることに特徴を有するものである。
【０００７】
ひとつの好適な実施態様として、本考案による便座・便蓋用ヒンジは、前記脚部を前記便器の上面に凹設した取付穴に抜差し可能に差し込むようにすることができる。また、前記カム面は、前記便座もしくは便蓋が閉じ途上において開角３０°付近から自動的に閉じる作用を働く第１曲縁を有する形に形成することができる。また、前記カム面は、前記便座もしくは便蓋が開き途上において開角４５°付近を越えると自動的に開く作用を働く第２曲縁を有する形に形成することもできる。
【考案の効果】
【０００８】
上記構成の便座・便蓋用ヒンジによれば、カム部材、カムフォロア及びばね部材によって便座もしくは便蓋の閉じ姿勢への回動方向のトルクに反発するトルクを発生させることで、便座もしくは便蓋が閉じ姿勢に達する時の衝撃を緩和することができ、衝突音の発生を防止でき、また便座や便蓋を手で持ち上げて開くときに要する操作力を軽減できる。したがって、とくに、介護用便器に適用した場合は被介護者にとって極めて安全でかつ使い勝手が良好である。
加えて、便座もしくは便蓋を手動操作で開閉できて電源の無い場所でも使用でき、しかも電動開閉式の便座・便蓋用ヒンジに比べて構造簡単で低コストで提供できる。
【考案を実施するための最良の形態】
【０００９】
本考案の好適な実施形態を図面に基づき説明する。図１は本考案の一実施例を示す便座・便蓋用ヒンジにより取付けられた便座及び便蓋を全開状態で示す便器の側面図、図２は同便座及び便蓋を全閉状態で示す便器の側面図、図３は同便座及び便蓋を全閉状態で示す便器の一部破断平面図、図４は同便座及び便蓋を全閉状態で示す便器の背面図、図５は便器の平面図、図６は便座の平面図、図７は便座の背面図、図８は便蓋の平面図、図９は便蓋の背面図、図１０は便蓋及び便座を全開状態で示す便座用ヒンジの縦断側面図、図１１は便蓋及び便座を全閉状態で示す便座用ヒンジの縦断側面図、図１２は便蓋及び便座を全開状態で示す便蓋用ヒンジの縦断側面図、図１３は便蓋及び便座を全閉状態で示す便蓋用ヒンジの縦断側面図である。
【００１０】
本考案の一実施例を示す便座・便蓋用ヒンジは、便座１および便蓋２が図１に示すように便器３の上面に対し垂直もしくは垂直に近い状態に開く姿勢と、図２〜図４に示すように便器３の上面に水平もしくは水平に近い状態に載置する閉じ姿勢とにわたって回動するようにしたものである。
【００１１】
図５に示すように、便器３はこれの上面の後部に便蓋２を取付けるための左右一対の断面四角形の取付穴４，４を凹設するとともに、便座１を取付けるための断面四角形の取付穴５を前記取付穴４，４間の中央でかつ少し前方に偏した位置に凹設している。
【００１２】
図６、図７に示すように、弁座１は便器３の上面を覆い得る大きさの平面視において開口１ａを有する馬蹄形状に形成される。便座１の後方の回動基端側には、便器３の中央の取付穴５に対応する便座用ヒンジ６が備えられる。
図１０に示すように、便座用ヒンジ６は、便座１の後方の回動基端側に垂下状に備えられたカム面７を有するカム部材８と、上端に対向壁部９，９を有しこの対向壁部９，９間にカム部材８をヒンジ軸１０回りに回動自在に枢支連結した断面四角形の有底筒状の脚部１１と、この脚部１１内に上下方向に摺動自在に収納され、カム部材８のカム面７に摺接する突子１２を上端に有する断面四角形状のカムフォロア（スライダー）１３と、脚部１１内のカムフォロア１３の下側に収納され、カムフォロア１３を常にカム部材８のカム面７に向けて押付け付勢する圧縮コイルばね等によるばね部材１４とを備える。これらカム部材８、脚部１１、及びカムフォロア１３などは樹脂製の便座１と同様に水洗い可能な樹脂成形品である。
【００１３】
上記カム部材８のカム面７はヒンジ軸１０の軸心を略中心にして緩やかなカーブに描かれる第１曲縁７ａと、この第1曲縁７ａの後端に連続して第１曲縁７ａの曲率よりも大きい曲率で描かれる第２曲縁７ｂとを有する形に形成されている。上記ばね部材１４は、後述する説明で明らかなように便座１の自重による閉方向のモーメントに抗してカム部材８を含む便座１に便座開方向のモーメントを与える強さを有するものが使用される。
【００１４】
便座１は便座用ヒンジ６の脚部１１を便器３の中央の取付穴５に抜差し可能に差し込むことで便器３に対し便座用ヒンジ６ごと着脱可能に取付けられる。これにより便座用ヒンジ６ごと弁座１を水洗いなどで容易に清掃することができる。
【００１５】
次に、上記構成の便座用ヒンジ６の作動について図１０、図１１を参照して説明する。
図１０は便座１が開角９０度を少し越え、この後は便座１の自重モーメントにより後方へ少し傾いた姿勢の全開状態を示している（図１参照）。この全開姿勢では、カム部材８の第２曲縁７ｂがカムフォロア１３の突子１２から後方へ離反してばね部材１４が伸長した状態にあり、これにより便座１の全開姿勢が保持される。
【００１６】
この全開姿勢から便座１を閉じ方向にヒンジ軸１０回りに回動させて行くと、先ず、カム部材８の第２曲縁７ｂがカムフォロア１３の突子１２に当接し該突子１２を押圧することでカムフォロア１３がばね部材１４を縮小させながら押下げられ、引続いて第２曲縁７ｂと第１曲縁７ａとの連続部、第１曲縁７ａがカムフォロア１３をばね部材１４の力に抗して押下げて行くが、このとき便座１の閉じ姿勢への回動方向のトルクに反発するトルクがカム部材８、カムフォロア１３及びばね部材１４により生じてそのバランスにて便座１は所定回動角度位置で停止保持でき、つまり緩やかな速度で閉じることができる。また、そのようにカム部材８、カムフォロア１３及びばね部材１４によって便座１の閉じ状態への回動方向のトルクに反発するトルクを発生させることで、便座１が図１１のように便器３上に水平もしくは水平に近い使用載置状態に達する時の衝撃を緩和でき、また衝突音の発生を防止できる。その際、上記カム部材８の第１曲縁７ａは、便座１が便器３上に達する直前、すなわち開角３０°付近から自動的に閉じる作用を働くような曲線に形成している。
【００１７】
便座１が便器３上に載置した使用状態では、カムフォロア１３の突子１２がカム部材８の第１曲縁７ａに位置してばね部材１４が最も圧縮した状態で確実に保持される。
【００１８】
用便後に、便座１を手で持ち上げて開き状態に戻すには、カム部材８、カムフォロア１３及びばね部材１４によって生じている便座１の閉じ姿勢への回動方向のトルクに反発するトルクの作用により軽い操作力で便座１を全開状態に戻すことができる。その際、カム部材８の第２曲縁７ｂは、便座１が開角４５°付近を越える時点で便座１から手を離してもばね部材１４の付勢力で自動的に開く作用を働くような曲線に形成している。このように便座１を開くときに、大きな操作力を必要としないようにしてあるため、介護用便器としても被介護者などの負担を軽減できる。
【００１９】
一方、便蓋２は、図８、図９に示すように、便器３及び弁座１の上面全体を覆い得る大きさの平面視において馬蹄形状の盲壁に形成される。便蓋２の後方の回動基端側には、便器３の左右一対の取付穴４，４に対応する左右一対の便蓋用ヒンジ１５，１５が備えられる。
便蓋用ヒンジ１５は、上記弁座用ヒンジ６と同一構造に構成されるものであって、図１２に示すように、便蓋２の後方の回動基端側に垂下状に備えられたカム面１６を有するカム部材１７と、上端に対向壁部１８，１８を有しこの対向壁部１８，１８間にカム部材１７をヒンジ軸１９回りに回動自在に枢支連結した断面四角形の有底筒状の脚部２０と、この脚部２０内に上下方向に摺動自在に収納され、カム部材１７のカム面１６に摺接する突子２１を上端に有する断面四角形状のカムフォロア（スライダー）２２と、脚部２０内のカムフォロア２２の下側に収納され、カムフォロア２２を常にカム部材１７のカム面１６に向けて押付け付勢する圧縮コイルばね等によるばね部材２３とを備える。これらカム部材１７、脚部２０、及びカムフォロア２２などは樹脂製の便蓋２と同様に水洗い可能な樹脂成形品である。
【００２０】
上記カム部材１７のカム面１６はヒンジ軸１９の軸心を略中心にして緩やかなカーブに描かれる第１曲縁１６ａと、この第1曲縁１６ａの後端に連続して第１曲縁１６ａの曲率よりも大きい曲率で描かれる第２曲縁１６ｂとを有する形に形成されている。上記ばね部材２３は、便蓋２の自重による閉方向のモーメントに抗してカム部材１７を含む便蓋２に便蓋開方向のモーメントを与える強さを有するものが使用される。
【００２１】
便蓋２は左右一対の便蓋用ヒンジ１５，１５の脚部２０，２０を便器３の左右の取付穴４，４に抜差し可能に差し込むことで便器３に対し便蓋用ヒンジ１５ごと着脱可能に取付けられる。これにより便蓋用ヒンジ１５ごと弁蓋２を水洗いなどで容易に清掃することができる。
【００２２】
次に、上記構成の便蓋用ヒンジ１５の作動について図１２、図１３を参照して説明する。
図１２は便蓋２が開角９０度を少し越え、この後は便蓋２の自重モーメントにより後方へ少し傾いた姿勢の全開状態を示している（図１参照）。この全開姿勢では、カム部材１７の第２曲縁１６ｂがカムフォロア２２の突子２１から後方へ離反してばね部材２３が伸長した状態にあり、これにより便蓋２の全開姿勢が保持される。
【００２３】
この全開姿勢から便蓋２を閉じ方向にヒンジ軸１９回りに回動させて行くと、先ず、カム部材１７の第２曲縁１６ｂがカムフォロア２２の突子２１に当接し該突子２１を押圧することでカムフォロア２２がばね部材２３を縮小させながら押下げられ、引続いて第２曲縁１６ｂと第１曲縁１６ａとの連続部、第１曲縁１６ａがカムフォロア２２をばね部材２３の力に抗して押下げて行くが、このとき便蓋２の閉じ状態への回動方向のトルクに反発するトルクがカム部材１７、カムフォロア２２及びばね部材２３により生じてそのバランスにて便蓋２は所定回動角度位置で停止保持でき、つまり緩やかな速度で閉じることができる。また、そのようにカム部材１７、カムフォロア２２及びばね部材２３によって便蓋２の閉じ状態への回動方向のトルクに反発するトルクを発生させることで、便蓋２が図１３のように便器３及び便座１上に水平もしくは水平に近い全閉状態に達する時の衝撃を緩和できる。その際、上記カム部材１７の第１曲縁１６ａは、便蓋２が便器３、便座１上に達する直前、すなわち開角３０°付近から自動的に閉じる作用を働くような曲線に形成している。
【００２４】
便蓋２が便器３及び便座１上に対し水平もしくは水平に近い全閉状態は、カムフォロア２２の突子２１がカム面１６の第１曲縁１６ａに位置してばね部材が最も圧縮した状態で確実に保持される。
【００２５】
用便後に、便蓋２を手で持ち上げて開き状態にするは、カム部材１７、カムフォロア２２及びばね部材２３によって生じている便蓋２の閉じ方向への回動方向のトルクに反発するトルクの作用により軽い操作力で便蓋２を全開状態にすることができる。その際、カム部材１７の第２曲縁１６ｂは、便蓋２が開角４５°付近を越える時点で便蓋２から手を離してもばね部材２３の付勢力で自動的に開く作用を働くような曲線に形成している。このように便蓋２を開くときに、大きな操作力を必要としないようにしてあるため、介護用便器としても被介護者などの負担を軽減できる。
【００２６】
上記実施例では便座１、便蓋２共に同じ上記構造のヒンジ６，１５を採用してあるが、その一方のみに上記構造のヒンジを採用し、もう一方はそれとは異なる別のヒンジを採用することもできる。
【図面の簡単な説明】
【００２７】
【図１】本考案の一実施例を示す便座・便蓋用ヒンジにより取付けられた便座及び便蓋を全開状態で示す便器の側面図である。
【図２】同便座及び便蓋を全閉状態で示す便器の側面図である。
【図３】同便座及び便蓋を全閉状態で示す便器の一部破断平面図である。
【図４】同便座及び便蓋を全閉状態で示す便器の背面図である。
【図５】便器の平面図である。
【図６】便座の平面図である。
【図７】便座の背面図である。
【図８】便蓋の平面図である。
【図９】便蓋の背面図である。
【図１０】便蓋及び便座を全開状態で示す便座用ヒンジの縦断側面図である。
【図１１】便蓋及び便座を全閉状態で示す便座用ヒンジの縦断側面図である。
【図１２】便蓋及び便座を全開状態で示す便蓋用ヒンジの縦断側面図である。
【図１３】便蓋及び便座を全閉状態で示す便蓋用ヒンジの縦断側面図である。
【符号の説明】
【００２８】
１  便座
２  便蓋
３  便器
４，５  取付穴
６  便座用ヒンジ
７，１６  カム面
７ａ，１６ａ  第１曲縁
７ｂ，１６ｂ  第２曲縁
８，１７  カム部材
１０，１９  ヒンジ軸
１１，２０  脚部
１２，２１  突子
１３，２２  カムフォロア
１４，２３  ばね部材
【図１】
0003111640.tif 000003
【図２】
0003111640.tif 000004
【図３】
0003111640.tif 000005
【図４】
0003111640.tif 000006
【図５】
0003111640.tif 000007
【図６】
0003111640.tif 000008
【図７】
0003111640.tif 000009
【図８】
0003111640.tif 000010
【図９】
0003111640.tif 000011
【図１０】
0003111640.tif 000012
【図１１】
0003111640.tif 000013
【図１２】
0003111640.tif 000014
【図１３】
0003111640.tif 000015